(57)【要約】【課題】  従来の靴下では、伸縮性が土踏まず部のみに集中し、土踏まずを含む足裏全体を縦アーチの形状にすることができないという問題があった。【解決手段】  本発明は、略拇指球部８から略踵部４まで連続して構成され、略拇指球部８と略踵部の間に向かうに方向に締め付ける締付部１０と、略拇指球部８から略踵部４まで連続して構成され、締付部１０より締付力が弱い弱締付部１１とが、略平行に隣り合うように配されているので、略拇指球部８から略踵部４までの長手方向広範囲で、略拇指球部８と略踵部４の間に向かう方向に締め付けられ、足裏長手方向広範囲で足裏を縦アーチ形状にすることができる。【選択図】  図１
2019189964.tif 000002
【特許請求の範囲】
【請求項１】
土踏まずを含む足裏の形状を矯正する靴下であって、
略拇指球部から略踵部まで連続して構成され、略拇指球部と略踵部の間に向かう方向に締め付ける締付部と、
略拇指球部から略踵部まで連続して構成され、前記締付部より締付力が弱い弱締付部と、を有し、
前記締付部と前記弱締付部は、略平行に隣り合うように配されていることを特徴とする靴下。
【請求項２】
前記締付部は、略拇指球部と略小指球部とを結んだ直線のある箇所から略踵部まで長手方向連続して構成され、
前記弱締付部は、略拇指球部と略小指球部とを結んだ直線のある箇所から略踵部まで長手方向連続して構成され、
前記締付部と前記弱締付部は、いずれかが略拇指球部と略小指球部とを結んだ直線の端部に設けられ、略平行に隣り合うように配されていることを特徴とする請求項1記載の靴下。
【請求項３】
前記締付部と前記弱締付部は、それぞれ複数列配されていることを特徴とする請求項２記載の靴下。
【請求項４】
前記締付部は、カットボス編みにより編成され、
前記弱締付部は、平編みにより編成されていることを特徴とする請求項１または請求項２に記載の靴下。
【請求項５】
前記締付部は、タック編みにより編成され、
前記弱締付部は、平編みにより編成されていることを特徴とする請求項１または請求項２に記載の靴下。
【発明の詳細な説明】
【技術分野】
【０００１】
本発明は、土踏まずを含む足裏の形状を矯正する靴下に関するものである。
【背景技術】
【０００２】
従来より、土踏まずの形状を矯正する靴下が知られている。この種の靴下として、靴下１０１の足底部の第１締付け部１０２と第２締付け部１０４の間に、靴下１０１の足甲部１０６と比較して靴下１０１の長手方向（図５の矢印Ｃと平行方向）の伸縮性が低い連結部１０５が設けられたものがあった。この靴下１０１によれば、靴下１０１の足甲部１０６と比較して靴下１０１の長手方向の伸縮性が低い連結部１０５を設けているので、この連結部１０５が縦足弓Ｈ１のアーチに沿って土踏まずを押し上げ、縦足弓Ｈ１のアーチの形状を正常な形状に保つことができるというものであった（例えば、特許文献１参照）。そして、縦足弓Ｈ１のアーチの形状を正常に保つようにすることにより、正常な歩行を促すことができるというものであった。ここで、図５は従来の靴下を示す図である。
【先行技術文献】
【特許文献】
【０００３】
【特許文献１】特開２００８−０５０７４４号公報
【発明の概要】
【発明が解決しようとする課題】
【０００４】
しかしながら、従来の靴下１０１では、連結部１０５の伸縮性により土踏まずを押し上げるものであったので、連結部１０５の伸縮性が土踏まず部のみに集中し、土踏まずを含む足裏全体を縦アーチの形状にすることができないことから、足の運動のパフォーマンス能力を十分高めることができず、足の負担も十分軽減できないものであった。
【０００５】
本発明は上記問題点に鑑みてなされたもので、足の運動のパフォーマンス能力をより十分発揮でき、足の負担もより十分軽減できる靴下を提供することを目的とする。
【課題を解決するための手段】
【０００６】
上記課題を解決し上記目的を達成するために、本発明のうち第１の態様に係るものは、土踏まずを含む足裏の形状を矯正する靴下であって、略拇指球部から略踵部まで連続して構成され、略拇指球部と略踵部の間に向かう方向に締め付ける締付部と、略拇指球部から略踵部まで連続して構成され、締付部より締付力が弱い弱締付部と、を有し、締付部と弱締付部は、略平行に隣り合うように配されていることを特徴とするものである。
【０００７】
本発明によれば、略拇指球部から略踵部まで連続して構成され、略拇指球部と略踵部の間に向かうに方向に締め付ける締付部と、略拇指球部から略踵部まで連続して構成され、締付部より締付力が弱い弱締付部とが、略平行に隣り合うように配されているので、略拇指球部から略踵部までの長手方向広範囲（土踏まずを含む足裏長手方向の広範囲）で、略拇指球部と略踵部の間に向かう方向に締め付けられ、足裏長手方向広範囲で足裏を縦アーチ形状にすることができる。これにより、足指先が靴内底部に接しやすく足の力が伝達されやすくなるので、足の運動のパフォーマンス能力をより十分発揮できるとともに、足の負担や疲労をより十分軽減させることができる。また、締付部と略平行に隣り合うように締付部より締付力が弱い弱締付部が設けられているので、使用者が靴下を着脱する際にも締付部より締付力が弱い弱締付部の伸縮を利用して容易かつ簡単に靴下を着脱することができる。さらに、男性用靴下（２５センチ〜２７センチ）の着用する足の大きさが異なる着用者でも、締付部より締付力が弱い弱締付部が伸びることにより、２５センチの足の大きさの着用者でも２７センチの足の大きさの着用者でも足にフィットした状態で靴下を着用することができる。
【０００８】
本発明のうち第２の態様に係るものは、第１の態様に係る靴下であって、締付部は、略拇指球部と略小指球部とを結んだ直線のある箇所から略踵部まで長手方向連続して構成され、弱締付部は、略拇指球部と略小指球部とを結んだ直線のある箇所から略踵部まで長手方向連続して構成され、前記締付部と前記弱締付部は、いずれかが略拇指球部と略小指球部とを結んだ直線の端部に設けられ、略平行に隣り合うように配されていることを特徴とするものである。
【０００９】
本発明によれば、締付部および弱締付部が、略拇指球部と略小指球部とを結んだ直線のある箇所から略踵部まで長手方向連続して構成され、いずれかが略拇指球部と略小指球部とを結んだ直線の端部に設けられているので、略拇指球部から略小指球部までの足裏長手方向広範囲で締め付けられ、足裏長手方向広範囲で足裏を縦アーチ形状にすることができる。
【００１０】
本発明のうち第３の態様に係るものは、第２の態様に係る靴下であって、締付部と弱締付部は、それぞれ複数列配されていることを特徴とするものである。
【００１１】
本発明によれば、略拇指球部と略小指球部とを結んだ直線の端部に締付部と弱締付部のいずれかが設けられ、締付部と弱締付部がそれぞれ複数列配されているので、土踏まずを含む足裏長手方向の広範囲で均等に締め付けられ、足裏長手方向広範囲で足裏を縦アーチ形状にすることができる。また、使用者が靴下を着脱する際にも、締付部より締付力が弱い弱締付部の伸縮力が分散され、その伸縮力を利用して容易かつ簡単に靴下を着脱することができるとともに、男性用靴下（２５センチ〜２７センチ）の着用する足の大きさが異なる着用者でも、締付部より締付力が弱い弱締付部が伸びることにより、２５センチの足の大きさの着用者でも２７センチの足の大きさの着用者でも足にフィットした状態で靴下を着用することができる。
【００１２】
本発明のうち第４の態様に係るものは、第１の態様または第２の態様に係る靴下であって、締付部は、カットボス編により編成され、弱締付部は、平編みにより編成されていることを特徴とするものである。
【００１３】
本発明のうち第５の態様に係るものは、第１の態様または第２の態様に係る靴下であって、締付部は、タック編みにより編成され、弱締付部は、平編みにより編成されていることを特徴とするものである。
【発明の効果】
【００１４】
本発明によれば、足の運動のパフォーマンス能力をより十分発揮でき、足の負担もより十分軽減できる
【図面の簡単な説明】
【００１５】
【図１】本発明の一実施形態における靴下の下面右斜視図である。
【図２】同靴下の上面図である。
【図３】同靴下の底面図である。
【図４】同靴下の伸縮方向を示す図である。
【図５】従来の靴下を示す図である。
【発明を実施するための形態】
【００１６】
以下、本発明の靴下の一実施形態について図面を参照にしながら説明する。ここで、図１は本発明の一実施形態における靴下の下面右斜視図であり、図２は同靴下の上面図であり、図３は同靴下の底面図である。
【００１７】
図１〜図３に示すように、靴下１は、土踏まずを含む足裏の形状を矯正する靴下であって、脚部２と、足甲部３と、踵部４と、土踏まず部５と、小指球部６と、つま先部７と、拇指球部８などから構成され、つま先部７には親指を収納する親指袋７ａとそれ以外の指を収納する外指袋７ｂが形成されている。なお、本実施形態では、つま先部７に親指を収納する親指袋７ａとそれ以外の指を収納する外指袋７ｂを形成させたが、これに限らず、５本の指をそれぞれ別々に収納する指袋を形成してもよい。
【００１８】
図１〜図３に示すように、靴下足底部９には、締付部１０と、弱締付部１１が形成されている。
【００１９】
締付部１０は、カットボス編みにより編成され、拇指球部８と小指球部６とを結んだ直線のある箇所から踵部４まで長手方向連続して構成され、拇指球部８と踵部４の間に向かう方向に締め付けるように形成されている。具体的には、締付部１０は、拇指球部８と小指球部６とを結んだ直線の中央側部付近から踵部４まで長手方向連続して２列で形成され、また拇指球部８と小指球部６とを結んだ直線の端部である靴下１の側面部から踵部４の側面部まで長手方向連続して左右１列づつ形成されている。なお、本実施形態では、締付部１０を略拇指球部８と略小指球部６とを結んだ直線のある箇所（中央部および端部）から略踵部４まで長手方向連続して構成させたが、これに限らず、締付部１０を略拇指球部８から略踵部４まで連続して構成されるようにすれば、他の形状であってもよい。また、本実施形態では、締付部１０を４列で形成させたが、これに限らず、３列〜９列（好ましくは、５列〜７列）などの４列以外の複数列で形成させるようにしてもよく、さらに、本実施形態では、締付部１０をカットボス編みにより編成されたが、これに限らず、タック編みにより編成してもよい。このように、締付部１０をタック編みにより編成させることによっても、拇指球部８と踵部４の間に向かう方向に大きな締付力で締め付けることができる。
【００２０】
弱締付部１１は、平編みにより編成され、拇指球部８と小指球部６とを結んだ直線のある箇所から踵部４まで連続して構成され、締付部１１より締付力が弱く形成されている。この弱締付部１１は、締付部１０とそれぞれ略平行に隣り合うように配されている。具体的には、弱締付部１１は、拇指球部８と小指球部６とを結んだ直線の中央側部付近から踵部４まで長手方向連続して形成された２列の締付部１０を挟んで３列形成されている。なお、本実施形態では、弱締付部１１を拇指球部８と小指球部６とを結んだ直線のある箇所から踵部４まで連続して構成させたが、これに限らず、略拇指球部８と略小指球部６とを結んだ直線のある箇所から略踵部４まで連続して構成させてもよく、さらに、弱締付部１１を略拇指球部８から略踵部４まで連続して構成されるようにすれば、他の形状であってもよい。また、本実施形態では、弱締付部１１を３列で形成させたが、これに限らず、２列〜８列（好ましくは、４列〜６列）などの３列以外の複数列で形成させるようにしてもよい。また、本実施形態では、拇指球部８と小指球部６とを結んだ直線の端部に締付部１０を設けたが、これに限らず、弱締付部１１を設けるようにしてもよい。
【００２１】
拇指球部８には滑り抑制前方部１２が形成されている。ここで、図１〜図３では、滑り抑制前方部１２は、拇指球部８を含む足周方向に形成されているが、拇指球部８に形成されていればよい。この滑り抑制前方部１２は、ループ状に編み込まれた地糸からなる複数のループに、ポリウレタン糸を用いて平編みで編み込まれている。このように、拇指球部８を含む滑り抑制前方部１２がポリウレタン糸を用いて平編みで編み込みされているのは、拇指球部８は靴や床面などとの摩擦が大きく、地糸よりもシンカーループの長さを長くしたループ編みで行うと靴下１の外側面から引っ張り出されるポリウレタン糸の量が多くなるからである。
【００２２】
次に、使用者が靴下１を着用した場合に、靴下１の締付部１０が使用者の足裏（つま先部７から踵部４）に作用する状況について、図４を参照にして説明する。ここで、図４は、本発明の一実施形態における靴下の伸縮方向を示す図である。
【００２３】
靴下１は、上述したように、拇指球部８から踵部４まで連続して構成され、拇指球部８と踵部４の間に向かうに方向に締め付ける締付部１０と、拇指球部８から踵部４まで連続して構成され、締付部１０より締付力が弱い弱締付部１１とが、略平行に隣り合うように配されている。この靴下１の締付部１０により、拇指球部８から踵部４までの長手方向広範囲（土踏まず部を含む足裏長手方向の広範囲）で、拇指球部８と踵部４の間に向かう方向に締め付けられ、足裏長手方向広範囲で足裏を縦アーチ形状にすることができる。これにより、足指先が靴内底部に接しやすく足の力が伝達されやすくなるので、足の運動のパフォーマンス能力をより十分発揮できるとともに、足の負担や疲労をより十分軽減させることができる。また、締付部１０と略平行に隣り合うように締付部１０より締付力が弱い弱締付部１１が設けられているので、使用者が靴下１を着脱する際にも締付部１０より締付力が弱い弱締付部１１の伸縮を利用して容易かつ簡単に靴下１を着脱することができる。さらに、男性用靴下（２５センチ〜２７センチ）の着用する足の大きさが異なる着用者でも、締付部１０より締付力が弱い弱締付部１１が伸びることにより、２５センチの足の大きさの着用者でも２７センチの足の大きさの着用者でも足にフィットした状態で靴下１を着用することができる。
【００２４】
また、本実施形態では、略拇指球部８と略小指球部６とを結んだ直線の端部に締付部１０を設け、締付部１０と弱締付部１１が略平行に隣り合うように複数列配されているので、土踏まず部５を含む足裏長手方向の広範囲で均等に締め付けられ、足裏長手方向広範囲で足裏を縦アーチ形状にすることができる。また、使用者が靴下を着脱する際にも、締付部１０より締付力が弱い弱締付部１１の伸縮力が分散され、その伸縮力を利用して容易かつ簡単に靴下１を着脱することができるとともに、男性用靴下（２５センチ〜２７センチ）の着用する足の大きさが異なる着用者でも、締付部１０より締付力が弱い弱締付部１１が伸びることにより、２５センチの足の大きさの着用者でも２７センチの足の大きさの着用者でも足にフィットした状態で靴下を着用することができる。
【００２５】
以上の開示した実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００２６】
１      靴下
２      脚部
３      足甲部
４      踵部
５      土踏まず部
６      小指球部
７      つま先部
７ａ    親指袋
７ｂ    外指袋
８      拇指球部
９      靴下足底部
１０    締付部
１１    弱締付部
１２    滑り抑制前方部
【図１】
2019189964.tif 000003
【図２】
2019189964.tif 000004
【図３】
2019189964.tif 000005
【図４】
2019189964.tif 000006
【図５】
2019189964.tif 000007
【手続補正書】
【提出日】平成30年7月9日(2018.7.9)
【手続補正１】
【補正対象書類名】特許請求の範囲
【補正対象項目名】全文
【補正方法】変更
【補正の内容】
【特許請求の範囲】
【請求項１】
土踏まずを含む足裏の形状を矯正する靴下であって、
略拇指球部と略小指球部とを結んだ直線のある箇所から略踵部まで長手方向連続して構成され、略拇指球部と略踵部の間に向かう方向に締め付ける締付部と、
略拇指球部と略小指球部とを結んだ直線のある箇所から略踵部まで長手方向連続して構成され、略拇指球部から略踵部まで連続して構成され、前記締付部より締付力が弱い弱締付部と、を有し、
前記締付部と前記弱締付部は、いずれかが略拇指球部と略小指球部とを結んだ直線の端部に設けられ、それぞれ略平行に複数列隣り合うように配されていることを特徴とする靴下。
【請求項２】
前記締付部は、カットボス編みにより編成され、
前記弱締付部は、平編みにより編成されていることを特徴とする請求項１に記載の靴下。
【請求項３】
前記締付部は、タック編みにより編成され、
前記弱締付部は、平編みにより編成されていることを特徴とする請求項１に記載の靴下。
【手続補正２】
【補正対象書類名】明細書
【補正対象項目名】０００６
【補正方法】変更
【補正の内容】
【０００６】
上記課題を解決し上記目的を達成するために、本発明のうち第１の態様に係るものは、土踏まずを含む足裏の形状を矯正する靴下であって、略拇指球部と略小指球部とを結んだ直線のある箇所から略踵部まで長手方向連続して構成され、略拇指球部と略踵部の間に向かう方向に締め付ける締付部と、略拇指球部と略小指球部とを結んだ直線のある箇所から略踵部まで長手方向連続して構成され、締付部より締付力が弱い弱締付部と、を有し、締付部と弱締付部は、いずれかが略拇指球部と略小指球部とを結んだ直線の端部に設けられ、それぞれ略平行に複数列隣り合うように配されていることを特徴とするものである。
【手続補正３】
【補正対象書類名】明細書
【補正対象項目名】０００７
【補正方法】変更
【補正の内容】
【０００７】
本発明によれば、略拇指球部と略小指球部とを結んだ直線のある箇所から略踵部まで長手方向連続して構成され、略拇指球部と略踵部の間に向かう方向に締め付ける締付部と、略拇指球部と略小指球部とを結んだ直線のある箇所から略踵部まで長手方向連続して構成され、締付部より締付力が弱い弱締付部とが、いずれかが略拇指球部と略小指球部とを結んだ直線の端部に設けられ、それぞれ略平行に複数列隣り合うように配されているので、土踏まずを含む略拇指球部から略踵部までの足裏長手方向の広範囲で略拇指球部と略踵部の間に向かう方向に均等に締め付けられ、足裏長手方向広範囲で足裏を縦アーチ形状にすることができる。これにより、足指先が靴内底部に接しやすく足の力が伝達されやすくなるので、足の運動のパフォーマンス能力をより十分発揮できるとともに、足の負担や疲労をより十分軽減させることができる。また、締付部と略平行に隣り合うように締付部より締付力が弱い弱締付部が設けられているので、使用者が靴下を着脱する際にも締付部より締付力が弱い弱締付部の伸縮力が分散され、その伸縮力を利用して容易かつ簡単に靴下を着脱することができるとともに、男性用靴下（２５センチ〜２７センチ）の着用する足の大きさが異なる着用者でも、締付部より締付力が弱い弱締付部が伸びることにより、２５センチの足の大きさの着用者でも２７センチの足の大きさの着用者でも足にフィットした状態で靴下を着用することができる。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】変更
【補正の内容】
【００１２】
本発明のうち第２の態様に係るものは、第１の態様に係る靴下であって、締付部は、カットボス編により編成され、弱締付部は、平編みにより編成されていることを特徴とするものである。
【手続補正９】
【補正対象書類名】明細書
【補正対象項目名】００１３
【補正方法】変更
【補正の内容】
【００１３】
本発明のうち第３の態様に係るものは、第１の態様に係る靴下であって、締付部は、タック編みにより編成され、弱締付部は、平編みにより編成されていることを特徴とするものである。